【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
高ダイナミックレンジ画像をエンコードする方法であって、
ａ）高ダイナミックレンジ画像の、正規化された高ダイナミックレンジ画像をもたらす［０，１］であるｌｕｍａ軸のスケールへの正規化であって、正規化された色は、正規化されたルミナンスを有する、正規化、
ｂ）ガンマ変換されたルミナンスをもたらす正規化されたルミナンス上のガンマ関数を計算すること、
ｃ）
【数１】
2017523621.tif 000001
として規定されるルマをもたらす第１のトーンマッピングを適用すること、ここで、ＲＨＯは、予め決められた値を有し、
ｄ）前記ｌｕｍａを低ダイナミックレンジ画像の出力ｌｕｍａにマッピングする任意の単調に増大するトーンマッピング関数を適用すること、
を適用することにより、高ダイナミックレンジ画像を低ルミナンスダイナミックレンジの画像に変換するステップと、
画像信号において、前記低ルミナンスダイナミックレンジ画像の画素色の成文化を出力するステップと、
前記画像信号において、メタデータとしての上記の色変換ｂ〜ｄの関数形状をエンコードする値又はこれらの逆関数のための値を出力するステップとを有し、
前記メタデータは、レシーバが、前記低ルミナンスダイナミックレンジ画像から、復元された高ダイナミックレンジ画像を復元するのを可能にし、ＲＨＯ又はＲＨＯの関数である値は、前記メタデータにおいて出力される、方法。
【請求項２】
ガンマ関数計算は、１／（２．４）に等しいガンマ値を用いる、請求項１に記載の方法。
【請求項３】
低ダイナミックレンジ画像の最大ｌｕｍａを、復元された高ダイナミックレンジ画像における考えられる値の特定の値にマッピングするためのゲイン値を決定するステップと、
前記画像信号においてそのゲイン値をエンコードするステップとを有する請求項１に記載の方法。
【請求項４】
前記低ダイナミックレンジ画像を決定するために上記の色マッピングのうちいずれかを適用した後に、前記低ルミナンスダイナミックレンジ画像の代わりに代替駆動画像としてＬＤＲディスプレイを駆動させるために用いられ得る第２の低ダイナミックレンジ画像を決定するために更なる技術的なトーンマッピングを適用するステップを有し、
技術的なトーンマッピングは、
ａ）対応する復元された高ダイナミックレンジ画像におけるバンディングの可視性が許容可能なレベルを越える、前記低ルミナンスダイナミックレンジ画像の第１の幾何学形状領域を決定すること、
ｂ）その領域のためのｌｕｍａの範囲を決定すること、
ｃ）ｌｕｍａの範囲に対するｌｕｍａ軸上の隣り合う画素ｌｕｍａの第２の範囲を決定することであって、前記第２の範囲は、最小数より高い多数のｌｕｍａを有するという条件を果たすように識別され、ＬＤＲ画像における最小数より少ないコードを用いて表され得るテクスチャを含む第２の幾何学画像領域に対応し、その第２の領域のための充分な視覚的な画質の復元された高ダイナミックレンジ画像をもたらす関数を適用する、決定すること、
ｄ）ｌｕｍａの第１及び第２の範囲のｌｕｍａを再分配する再分配マッピング関数を決定すること、
により決定され、従って、追加のコードは、前記第１の範囲で利用可能であり、前記画像信号において、前記再分配マッピング関数又は好ましくはその逆の関数形状をエンコードする値を出力する、請求項１−３のうちいずれか一項に記載の方法。
【請求項５】
前記第１の幾何学形状領域の識別は、ユーザインタフェースユニットを介して人間のグレーダにより実行され、
復元された高ダイナミックレンジ画像における前記第１の幾何学形状領域のバンディングの量、及び、復元された高ダイナミックレンジ画像における前記第２の幾何学形状領域の復元の視覚的画質は、許容可能であるか又は許容できないとして人間のグレーダにより判断され、
許容可能であるという判断の場合において、再分配マッピング関数又はその逆の関数形状をエンコードする値が前記画像信号においてエンコードされ、又は、許容できないという判断の場合において、これらのステップは、代替の再分配マッピング関数をもたらすように異なるパラメータによって再び行われる、請求項４に記載の方法。
【請求項６】
高ダイナミックレンジ画像をエンコードするように構成された画像エンコーダであって、
前記高ダイナミックレンジ画像を低ルミナンスダイナミックレンジの画像に変換するように構成されたダイナミックレンジ変換ユニットを有し、
前記ダイナミックレンジ変換ユニットは、
ａ）高ダイナミックレンジ画像を［０，１］の範囲に渡るｌｕｍａ軸に正規化し、正規化されたルミナンスを出力する正規化部、
ｂ）前記正規化されたルミナンスにガンマ関数を適用し、ガンマ変換されたルミナンスを出力するガンマ変換ユニット、
ｃ）
【数２】
2017523621.tif 000002
として規定されるルマをもたらす第１のトーンマッピングユニット、ここで、ＲＨＯは、予め決められた値を有し、
ｄ）前記ｌｕｍａを低ダイナミックレンジ画像の出力ｌｕｍａにマッピングする任意の単調に増大するトーンマッピング関数を適用するように構成された任意のトーンマッピングユニット、
を有し、
当該画像エンコーダは、
前記低ダイナミックレンジ画像の色にデータ削減変換を適用するように構成された画像圧縮部であって、これらの色は、成分画像において構成され、削減変換は、少なくとも、隣り合う色成分のブロックにＤＣＴ変換を適用することを含み、低ルミナンスダイナミックレンジ画像の画素色の圧縮された成文化をもたらす、画像圧縮部と、
圧縮された成文化を画像信号において出力するように構成され、加えて、画像信号において、色変換の関数形状をメタデータとしてエンコードする値又はこれらの逆関数のための値を出力するように構成されたフォーマッタとを有し、
メタデータは、レシーバが、低ルミナンスダイナミックレンジ画像に基づいて高ダイナミックレンジ画像を復元するのを可能にし、前記値は、ＲＨＯ又はＲＨＯの関数である値を有する、画像エンコーダ。
【請求項７】
高ダイナミックレンジ画像信号を受信するように構成された画像デコーダであって、
画像信号から、圧縮された画素化された低ダイナミックレンジ画像及びパラメータデータを取得するように構成されたデフォーマッタと、
画素化された低ダイナミックレンジ画像を取得するために、圧縮された画素化された低ダイナミックレンジ画像に少なくとも逆ＤＣＴ変換を適用するように構成された解凍部と、
低ダイナミックレンジ画像を復元された高ダイナミックレンジ画像に変換するように構成されたダイナミックレンジ変換ユニットとを有し、
前記ダイナミックレンジ変換ユニットは、
ａ）任意の単調に増大するトーンマッピングを適用するように構成された任意のトーンマッピングユニットであって、これを規定するパラメータは、パラメータデータにおいて受信される、任意のトーンマッピングユニット、
ｂ）
【数３】
2017523621.tif 000003
の形式の関数により規定されるマッピングを適用するように構成された第１のトーンマッピングユニット、ここで、ＲＨＯは、前記パラメータデータにおいて受信される定数であり、
ｃ）受信したガンマ値を有するガンママッピングを適用するように構成されたガンマ変換ユニット、
を有する、画像デコーダ。
【請求項８】
少なくとも復元された高ダイナミックレンジ画像の領域における低減されたバンディングを取得するための前記低ダイナミックレンジ画像の前記エンコーダによって前に適用されたコード再分配アクションを逆転させる第２の低ダイナミックレンジ画像を取得するために、画像信号において受信された更なるトーンマッピングを低ダイナミックレンジ画像に適用するように構成されたトーンリマッピングユニットを有する、請求項７に記載の画像デコーダ。
【請求項９】
高ダイナミックレンジ画像信号をデコードする方法であって、
画像信号から圧縮された画素化された低ダイナミックレンジ画像及びパラメータデータを取得するステップと、
画素化された低ダイナミックレンジ画像を取得するために圧縮された画素化された低ダイナミックレンジ画像に少なくとも逆ＤＣＴ変換を適用することにより、圧縮された画素化された低ダイナミックレンジ画像を解凍するステップと、
ａ）任意の単調に増大するトーンマッピングを適用することであって、これを規定するパラメータは、パラメータデータにおいて受信されている、適用すること、
ｂ）
【数４】
2017523621.tif 000004
の形式の関数により規定されるマッピングを適用すること、
ｃ）（好ましくは２．４に等しい）受信したガンマ値を有するガンママッピングを適用すること、により、
低ダイナミックレンジ画像を復元された高ダイナミックレンジ画像に変換するステップとを有する、方法。